(57)【特許請求の範囲】
【請求項１】
扱室（５）の側方から後方に亘り処理室（６）を配置し、この扱室（５）と処理室（６）とを、扱室（５）の下方に備える受網（４）の終端部から送塵口（２１）を介して連通せしめ、該送塵口（２１）の後方に脱穀物を落下させる落下案内板（２７）を設けると共に、該落下案内板（２７）の後部に扱室（５）の奥側枠体（２８）を立設し、また扱室（５）の後方に４番口（１５ａ）を有する４番漏斗（１５）を備え、前記４番口（１５ａ）を介して扱室（５）で脱穀された穀稈を排出せしめる脱穀装置（１）において、前記扱室（５）に軸支した扱胴（３）の終端部下方に４番口（１５ａ）に連通する開口部（Ｈ）を形成し、且つ前記落下案内板（２７）及び奥側枠体（２８）の前記開口部（Ｈ）側に臨む部位（ａ，ｂ）と、前記４番漏斗（１５）を構成する処理室（６）側の仕切り板（１６）の下部（ｃ）とを、脱穀装置（１）の前後方向から見て略同一位置（Ｓ）としたことを特徴とする脱穀装置。
【発明の詳細な説明】
【技術分野】
【０００１】
本発明は、コンバイン等に搭載される脱穀装置に関する。
【背景技術】
【０００２】
従来、コンバイン等に搭載される脱穀装置では、扱室内に供給された穀稈を扱胴で脱穀し、脱穀された脱穀物を扱胴の下方に備える受網で漏下選別すると共に、受網から漏下されない穀粒及び夾雑物からなる脱穀物を扱室の送塵口から処理室内に送り込んで補助脱穀処理し、処理された穀粒を処理網から揺動選別体上に落下させる一方、屑類を処理室の終端部に開口する排塵口から揺動選別体の終端に排出せしめ、次いで、受網から漏下した穀粒等と、処理室の処理網及び排塵口から落下した処理物を選別風路中に支架した揺動選別体によって揺動選別しながら穀粒を回収し、切り藁及び屑類等の排塵物を排塵ファンを介して機外に排出するといった一連の脱穀作業を行なっている。
【０００３】
そして、扱室内で脱穀されながら受網の終端部から仕切板を越えて補助受網に至る穀稈が、この補助受網上で、扱胴終端に植設された扱歯によって脱穀及び刺さり粒落としがなされるように構成したものが知られている（例えば、特許文献１参照）。
【特許文献１】特開２００４−１８０５８４号公報（第３−４頁、図２−図４）
【発明の開示】
【発明が解決しようとする課題】
【０００４】
ところが、上述した特許文献１のものでは、扱室内で脱穀される穀稈の穂先側が順次通過する扱室終端部の送塵口と、該送塵口の後方に形成した落下路とを仕切板を介して区画すると共に、該落下路の後部には、扱室の奥側枠体（縦枠体）を立設してあり、この奥側枠体の突出部位に藁が引っ掛かり易く、また扱室の後方に備える４番口を有した４番漏斗を構成する処理室側の仕切り板には、可撓性を有する穂側壁板を取り付けてあるが、この穂側壁板は、出口側板に対して段差を有して落ち込んだ配置になっており、この落ち込み部位に藁屑が溜まり易いといった不具合を有していた。
【課題を解決するための手段】
【０００５】
本発明は、上記課題を解決することを目的としたものであって、扱室の側方から後方に亘り処理室を配置し、この扱室と処理室とを、扱室の下方に備える受網の終端部から送塵口を介して連通せしめ、該送塵口の後方に脱穀物を落下させる落下案内板を設けると共に、該落下案内板の後部に扱室の奥側枠体を立設し、また扱室の後方に４番口を有する４番漏斗を備え、前記４番口を介して扱室で脱穀された穀稈を排出せしめる脱穀装置において、前記扱室に軸支した扱胴の終端部下方に４番口に連通する開口部を形成し、且つ前記落下案内板及び奥側枠体の前記開口部側に臨む部位と、前記４番漏斗を構成する処理室側の仕切り板の下部とを、脱穀装置の前後方向から見て略同一位置としたことを特徴としている。
【発明の効果】
【０００６】
本発明によれば、扱室に軸支した扱胴の終端部下方に４番口に連通する開口部を形成したことによって、扱室の下方に備える受網から落下し得なかった脱穀物を前記開口部から落下させると共に、脱穀物の持ち回りを防止して刺さり粒を円滑に除去せしめることができる。そして、前記落下案内板及び奥側枠体の前記開口部側に臨む部位と、前記４番漏斗を構成する処理室側の仕切り板の下部とを、脱穀装置の前後方向から見て略同一位置としたことによって、前記開口部側に臨む奥側枠体に藁が引っ掛かり難くなると共に、４番漏斗を構成する処理室側の仕切り板にも藁屑が溜まり難くなる。
【発明を実施するための最良の形態】
【０００７】
以下、本発明の実施形態を図面に基づいて説明する。図１及び図２は、コンバイン等に搭載される脱穀装置１周辺の側面図と平面図であって、脱穀装置１は、箱枠状に形成された脱穀機枠２の上部に扱胴３及び受網４等を備える扱室５と、該扱室５終端の奥側に配置した処理室６を備えている。そして、扱室５の下方には、前後に配置した送風ファン７と横断流（吸引排塵）ファン８を備える選別風路を形成すると共に、この選別風路中に脱穀物を揺動選別する揺動選別体９を支架している。
【０００８】
更に詳しくは、扱胴３の回転軸である扱胴軸１１（図５参照）を軸支する入口側板（不図示）と出口側板１３には、それぞれの下部に扱室５で脱穀される穀稈の入口と出口を形成している。そして、上述の出口側板１３に形成した穀稈の出口に連通する４番漏斗１５は、処理室６側の仕切り板１６を左右一側の構成部材とすると共に、出口側板１３後方の４番流板１５ｂ等によって図３に示すような漏斗状の開口である４番口１５ａを形成している。
【０００９】
また、扱室５の外側方には、フィードチェン１７が張設してあり、このフィードチェン１７により刈取部（不図示）から搬送される穀稈を扱室５の入口から扱室５内に供給すると共に、扱室５内で脱穀された後の排藁をフィードチェン１７の終端で受継する排藁搬送装置１８を備えており、該排藁搬送装置１８を介して後送される排藁は、その後方下部に設けたカッタ（後処理）装置１９により切断処理がなされる。
【００１０】
以上説明した構成により、扱室５内に供給された穀稈を扱胴３で脱穀し、この扱胴３で脱穀された脱穀物を受網４で漏下選別すると共に、受網４から漏下しなかった穀粒及び切れ藁や塵埃等の夾雑物からなる脱穀物を、受網４の終端部から送塵口２１を介して連通する処理室６内に送り込んで補助脱穀処理を行い、この補助脱穀処理を行なった穀粒を処理網２２から揺動選別体９上に落下させる一方、前記夾雑物は、処理室６の終端部に開口する排塵口２３から揺動選別体９の終端に排出させることができる。
【００１１】
そして、受網４から漏下した穀粒や処理室６の処理網２２及び排塵口２３から落下した処理物は、選別風路中に支架した揺動選別体９による篩選別と送風ファン７による風選別がなされ、一番樋（一番螺旋）２４に落下した一番物は、図示しない揚穀筒により穀粒タンクへ揚上搬送されると共に、補助送風ファン２５による風選別がなされて二番樋（二番螺旋）２６に落下した二番物は、図示しない二番還元筒により揺動選別体９上へ還元される。更に、上述の如く揺動選別体９による篩選別と送風ファン７による風選別がなされて分離された切れ藁や塵埃等の夾雑物は、横断流（吸引排塵）ファン８を介して機外に排出される。
【００１２】
また、脱穀装置１は、扱室５から処理室６への脱穀物の供給及び刺さり粒の除去、並びに扱室５から４番口１５ａへの穀稈の排出をスムーズに行なうための穀稈処理構造を後述の如く備えている。この穀稈処理構造は、扱室５の下方に備える受網４の終端部と、この受網４の終端部において扱室５と処理室６とを連通せしめる送塵口２１と、該送塵口２１の後方に脱穀物を落下させるために設けた落下案内板２７と、該落下案内板２７の後部に立設（連設）した扱室５の奥側枠体２８等によって構成している。
【００１３】
更に詳しくは、受網４は、多数の漏下孔４ａ，・・を備える多孔板であって、この多孔板は、線材を格子状に編んだクリンプ網ではなく、多数の漏下孔４ａ，・・を打ち抜き加工している。そして、これらの漏下孔７ａ，・・は、扱胴３の終端側ほど該扱胴３の回転方向に偏倚する傾斜状の長孔に形成している。つまり、多孔板の漏下孔４ａ，・・を、扱胴３の回転方向と穀稈の搬送速度により決定される略４５度程度のベクトル方向に傾斜状に形成することによって、扱胴３による扱下し物を漏下孔４ａ，・・の傾斜に沿わせて誘導しつつ、該漏下孔４ａ，・・からの漏下を促すことができるよう構成にしている。
【００１４】
そして、受網４の終端部において、処理室６の始端部に向けて開口する送塵口２１は、受網４の終端部奥側に設けた滑らかな送塵板２９を介して連通している。そして、図３及び図４に示すように、受網４の終端部、即ち扱胴３の終端部下方には、扱室５の横枠体３１で区画されて４番口１５ａに連通する開口部Ｈを形成すると共に、前記横枠体３１には、受網４の漏下孔４ａ，・・の傾斜偏倚方向と同方向に延出する稈身支持ガイド３２，３２を固設してある。
【００１５】
尚、扱室５の奥側枠体２８の基部には、脱穀装置１の後方に向けてピン２８ａを突設してあり、このピン２８ａの先端にガススプリング３３を構成するピストンロッドの先端部を枢支する一方、該ガススプリング３３のシリンダチューブの基端部を扱室５の出口側板１３に突設したピン１３ａに枢支することによって、扱室５の上方を覆う上部枠体３４（扱胴３を含む）を支点Ｘ中心に開放させる際の操作荷重を軽減せしめている。
【００１６】
また、扱胴３の終端部下方において、上述の如く４番口１５ａに連通する扱室５の横枠体３１で区画された開口部Ｈを形成しているが、この開口部Ｈに臨む落下案内板２７の下部及び扱室５の奥側枠体２８と、４番漏斗１５を構成する処理室６側の仕切り板１６の下部とを略同一の仮想平面に形成している。即ち、図３に示す開口部Ｈ側に臨む落下案内板２７下部のａ面と奥側枠体２８のｂ面、及び４番漏斗１５を構成する処理室６側の仕切り板１６の下部ｃ面が、図４〜図６に示すように脱穀装置１の前後方向から見て略同一位置Ｓとなるように形成してある。
【００１７】
以上説明した構成によれば、扱室５に軸支した扱胴３の終端部下方に４番口１５ａに連通する開口部Ｈを形成したことによって、扱室５の下方に備える受網４から落下し得なかった脱穀物を前記開口部Ｈから落下させると共に、脱穀物の持ち回りを防止して刺さり粒を円滑に除去せしめることができる。そして、前記落下案内板２７及び奥側枠体２８の前記開口部Ｈ側に臨む部位（ａ，ｂ）と、前記４番漏斗１５を構成する処理室６側の仕切り板１６の下部（ｃ）とを、脱穀装置１の前後方向から見て略同一位置Ｓとしたことによって、前記開口部Ｈ側に臨む奥側枠体２８に藁が引っ掛かり難くなると共に、４番漏斗１５を構成する処理室６側の仕切り板１６にも藁屑が溜まり難くなるので、扱室５から４番口１５ａを介して排出される穀稈の穂先側の接触抵抗が緩和され、この穂先側の搬送遅れ（穂先遅れ）も起こり難くなる。
【図面の簡単な説明】
【００１８】
【図１】脱穀装置周辺の概略側面図。
【図２】扱室及び処理室周辺の一部を省略した平面図。
【図３】扱室終端部の一部を省略した斜視図。
【図４】扱室終端部周辺の一部を省略した平面図。
【図５】扱室の一部を省略した背面図。
【図６】扱室の一部を省略した正面図。
【符号の説明】
【００１９】
１      脱穀装置
３      扱胴
４      受網
５      扱室
６      処理室
１５    ４番漏斗
１５ａ  ４番口
１６    仕切り板
２１    送塵口
２７    落下案内板
２８    奥側枠体
ａ      落下案内板下部の開口部側に臨む面
ｂ      奥側枠体の開口部側に臨む面
ｃ      ４番漏斗を構成する処理室側の仕切り板下部の面
Ｈ      開口部
Ｓ      脱穀装置の前後方向から見た略同一位置
【図１】
0005042911.tif 000002
【図２】
0005042911.tif 000003
【図３】
0005042911.tif 000004
【図４】
0005042911.tif 000005
【図５】
0005042911.tif 000006
【図６】
0005042911.tif 000007